【手続補正書】
【提出日】平成18年9月15日(2006.9.15)
【手続補正１】
【補正対象書類名】特許請求の範囲
【補正対象項目名】全文
【補正方法】変更
【補正の内容】
【特許請求の範囲】
【請求項１】
第１粒子状材料、
第２粒子状材料、および
第３粒子状材料の
複数の粒子の混合物の生成物を含む物品であって、前記第１粒子状材料および前記第２粒子状材料は、反応して一定時間において固形物を形成することができ、かつ前記第３粒子状材料は、前記混合物が三次元印刷中に流体と接触するときにより長い時間において固化することができ、前記物品は、三次元印刷によって形成されたものであり、かつ前記混合物の複数の層を含んでいる、固形状物品。
【請求項２】
前記第１粒子状材料および前記第２粒子状材料が流体の存在下で反応する、請求項１に記載の物品。
【請求項３】
前記第１粒子状材料および前記第２粒子状材料の少なくとも一方の材料が流体に実質的に可溶性である、請求項２に記載の物品。
【請求項４】
前記第１粒子状材料がリン酸塩を含む、請求項１に記載の物品。
【請求項５】
リン酸塩が、１アンモニウムリン酸塩、酸性リン酸アルミニウムナトリウム、無水１カルシウムリン酸塩、１カリウムリン酸塩、１ナトリウムリン酸塩、および過リン酸アルミニウムからなる群から選択される、請求項４に記載の物品。
【請求項６】
リン酸塩が、トリポリリン酸ナトリウム、ヘキサメタリン酸ナトリウム、リン酸ナトリウム塩、トリメタリン酸ナトリウム、およびポリリン酸アンモニウムからなる群から選択される、請求項４に記載の物品。
【請求項７】
リン酸塩が、リン酸２アンモニウム、リン酸２カリウム、リン酸２ナトリウム、１カルシウムリン酸塩二水和物、１カルシウムリン酸塩一水和物、リン酸２カルシウム二水和物、無水リン酸２カルシウム、リン酸３カルシウム、リン酸２ナトリウム、およびリン酸３カリウムからなる群から選択される、請求項４に記載の物品。
【請求項８】
リン酸塩が、酸性ピロリン酸ナトリウム、ピロリン酸テトラナトリウム、およびピロリン酸テトラカリウムからなる群から選択される、請求項４に記載の物品。
【請求項９】
リン酸塩が、無水１カルシウムリン酸塩、酸性リン酸アルミニウムナトリウム、酸性リン酸アルミニウム、１アンモニウムリン酸塩、１カリウムリン酸塩、１ナトリウムリン酸塩およびそれらの組合せからなる群から選択される、請求項４に記載の物品。
【請求項１０】
前記第２粒子状材料が、アルカリ酸化物、アルカリ水酸化物、およびそれらの組合せの少なくとも１つを含む、請求項１に記載の物品。
【請求項１１】
アルカリ酸化物が、酸化亜鉛、酸化マグネシウム、酸化カルシウム、酸化銅、酸化ベリリウム、酸化ビスマス、酸化カドミウム、酸化スズ、鉛丹、およびそれらの組合せからなる群から選択される、請求項１０に記載の物品。
【請求項１２】
アルカリ水酸化物が、水酸化マグネシウム、三水酸化コバルト、二水酸化ベリリウムおよびそれらの組合せからなる群から選択される、請求項１０に記載の物品。
【請求項１３】
アルカリ酸化物が酸化マグネシウムを含む、請求項１０に記載の物品。
【請求項１４】
前記第１粒子状材料が、ポリアクリル酸、ポリメタクリル酸、クエン酸、コハク酸、マレイン酸、ポリアクリル酸およびメタクリル酸とマレイン酸のコポリマー、およびそれらのアルカリ塩からなる群から選択される、請求項１０に記載の物品。
【請求項１５】
前記第３粒子状材料が接着剤を含む、請求項１に記載の物品。
【請求項１６】
前記接着剤が、オクチルアクリルアミド／アクリル酸塩／メタクリル酸ブチルアミノエチルのコポリマー、ポリビニルアルコール、ポリエチレンオキシド、硫酸ポリスチレンナトリウム、ポリアクリル酸、ポリビニル・ピロリドン、マルトデクストリン、加水分解ゼラチン、糖、加水分解でんぷん、ポリメタクリル酸のナトリウム塩、ポリメタクリル酸のアンモニウム塩、ポリビニルスルホン酸、スルホン化ポリエステル、ポリ（２−エチル−２−オキサゾリン）、ポリメタクリル酸、ポリアクリル酸のナトリウム塩、ポリアクリル酸のアンモニウム塩、およびそれらの組合せからなる群から選択される、請求項１５に記載の物品。
【請求項１７】
前記複数の粒子の混合物がさらに充填剤を含む、請求項１に記載の物品。
【請求項１８】
前記充填剤が、石灰石、十字石、シリカ砂、ジルコン砂、かんらん石砂、クロム鉄鉱砂、マグネサイト、ケイ酸アルミナ、ケイ酸カルシウム、溶融石英、リン酸カルシウム、ルチル、ベントナイト、モンモリロナイト、ガラス、石粉、耐火粘土、およびそれらの混合物からなる群から選択される、請求項１７に記載の物品。
【請求項１９】
前記流体が水性である、請求項２に記載の物品。
【請求項２０】
前記第１粒子状材料がプラスターを含む、請求項１に記載の物品。
【請求項２１】
前記第２粒子状材料が促進剤を含む、請求項２０に記載の物品。
【請求項２２】
前記促進剤が、白土、硫酸カリウム、硫酸バリウム、硫酸アンモニウム、塩化ナトリウム、か焼不足のプラスター、ミョウバン、カリウムミョウバン、石灰、か焼粘土、およびそれらの組合せからなる群から選択される、請求項２１に記載の物品。
【請求項２３】
前記第３粒子状材料が接着剤を含む、請求項２２に記載の物品。
【請求項２４】
前記接着剤が、オクチルアクリルアミド／アクリル酸塩／メタクリル酸ブチルアミノエチルのコポリマー、ポリビニルアルコール、ポリエチレンオキシド、硫酸ポリスチレンナトリウム、ポリアクリル酸、ポリビニルピロリドン、マルトデクストリン、加水分解ゼラチン、糖、加水分解でんぷん、ポリメタクリル酸のナトリウム塩、ポリメタクリル酸のアンモニウム塩、ポリビニルスルホン酸、スルホン化ポリエステル、ポリ（２−エチル−２−オキサゾリン）、ポリメタクリル酸、ポリアクリル酸のナトリウム塩、ポリアクリル酸のアンモニウム塩、およびそれらの組合せからなる群から選択される、請求項２３に記載の物品。
【請求項２５】
前記第１粒子状材料が、硫酸塩含有化合物、塩化物含有化合物、およびそれらの組合せからなる群から選択される、請求項１に記載の物品。
【請求項２６】
前記硫酸塩含有化合物が、硫酸マグネシウム、硫酸亜鉛、およびそれらの組合せからなる群から選択される、請求項２５に記載の物品。
【請求項２７】
前記塩化物含有化合物が、塩化マグネシウム、塩化亜鉛、塩化カルシウム、およびそれらの組合せからなる群から選択される、請求項２５に記載の物品。
【請求項２８】
第１乾燥粒子状材料、
第２乾燥粒子状材料、および
第３乾燥粒子状材料
の乾燥粒子状混合物を含む三次元印刷において用いられる配合物であって、前記乾燥粒子状混合物は、複数の層からなる物品を形成するために三次元印刷で使用でき、前記第１粒子状材料および前記第２粒子状材料は反応して一定時間において固形物を形成することができ、前記第３粒子状材料は、前記混合物が三次元印刷中に流体と接触するときにより長い時間において固化することができる、配合物。
【請求項２９】
前記第１粒子状材料および前記第２粒子状材料が流体の存在下で反応する、請求項２８に記載の配合物。
【請求項３０】
前記第１粒子状材料および前記第２粒子状材料の少なくとも一方の材料が流体に実質的に可溶性である、請求項２９に記載の配合物。
【請求項３１】
前記第１粒子状材料がリン酸塩である、請求項２８に記載の配合物。
【請求項３２】
リン酸塩が、１アンモニウムリン酸塩、酸性リン酸アルミニウムナトリウム、無水１カルシウムリン酸塩、１カリウムリン酸塩、１ナトリウムリン酸塩、および過リン酸アルミニウムからなる群から選択される、請求項３１に記載の配合物。
【請求項３３】
リン酸塩が、トリポリリン酸ナトリウム、ヘキサメタリン酸ナトリウム、リン酸ナトリウム塩、トリメタリン酸ナトリウム、およびポリリン酸アンモニウムからなる群から選択される、請求項３１に記載の配合物。
【請求項３４】
リン酸塩が、リン酸２アンモニウム、リン酸２カリウム、リン酸２ナトリウム、１カルシウムリン酸塩二水和物、１カルシウムリン酸塩一水和物、リン酸２カルシウム二水和物、無水リン酸２カルシウム、リン酸３カルシウム、リン酸２ナトリウム、およびリン酸３カリウムからなる群から選択される、請求項３１に記載の配合物。
【請求項３５】
リン酸塩が、酸性ピロリン酸ナトリウム、ピロリン酸テトラナトリウム、およびピロリン酸テトラカリウムからなる群から選択される、請求項３１に記載の配合物。
【請求項３６】
リン酸塩が、無水１カルシウムリン酸塩、酸性リン酸アルミニウムナトリウム、酸性リン酸アルミニウム、１アンモニウムリン酸塩、１カリウムリン酸塩、１ナトリウムリン酸塩およびそれらの組合せからなる群から選択される、請求項３１に記載の配合物。
【請求項３７】
第２粒子状材料が、アルカリ酸化物、アルカリ水酸化物、およびそれらの組合せの少なくとも１つを含む、請求項２８に記載の配合物。
【請求項３８】
アルカリ酸化物が、酸化亜鉛、酸化マグネシウム、酸化カルシウム、酸化銅、酸化ベリリウム、酸化ビスマス、酸化カドミウム、酸化スズ、鉛丹、およびそれらの組合せからなる群から選択される、請求項３７に記載の配合物。
【請求項３９】
アルカリ水酸化物が、水酸化マグネシウム、三水酸化コバルト、二水酸化ベリリウムおよびそれらの組合せからなる群から選択される、請求項３７に記載の配合物。
【請求項４０】
アルカリ酸化物が酸化マグネシウムを含む、請求項３７に記載の配合物。
【請求項４１】
前記第１粒子状材料が、ポリアクリル酸、ポリメタクリル酸、クエン酸、コハク酸、マレイン酸、ポリアクリル酸およびメタクリル酸とマレイン酸のコポリマー、およびそれらのアルカリ塩からなる群から選択される、請求項３７に記載の配合物。
【請求項４２】
前記第３粒子状材料が接着剤を含む、請求項２８に記載の配合物。
【請求項４３】
前記接着剤が、オクチルアクリルアミド／アクリル酸塩／メタクリル酸ブチルアミノエチルのコポリマー、ポリビニルアルコール、ポリエチレンオキシド、硫酸ポリスチレンナトリウム、ポリアクリル酸、ポリビニルピロリドン、マルトデクストリン、加水分解ゼラチン、糖、加水分解でんぷん、ポリメタクリル酸のナトリウム塩、ポリメタクリル酸のアンモニウム塩、ポリビニルスルホン酸、スルホン化ポリエステル、ポリ（２−エチル−２−オキサゾリン）、ポリメタクリル酸、ポリアクリル酸のナトリウム塩、ポリアクリル酸のアンモニウム塩、およびそれらの組合せからなる群から選択される、請求項４２に記載の配合物。
【請求項４４】
複数の粒子の混合物がさらに充填剤を含む、請求項２８に記載の配合物。
【請求項４５】
前記充填剤が、石灰石、十字石、シリカ砂、ジルコン砂、かんらん石砂、クロム鉄鉱砂、マグネサイト、ケイ酸アルミナ、ケイ酸カルシウム、溶融石英、リン酸カルシウム、ルチル、ベントナイト、モンモリロナイト、ガラス、石粉、耐火粘土、およびそれらの混合物からなる群から選択される、請求項４４に記載の配合物。
【請求項４６】
前記流体が水性である、請求項２９に記載の配合物。
【請求項４７】
前記第１粒子状材料がプラスターを含む、請求項２８に記載の配合物。
【請求項４８】
前記第２粒子状材料が促進剤を含む、請求項４７に記載の配合物。
【請求項４９】
前記促進剤が、白土、硫酸カリウム、硫酸バリウム、硫酸アンモニウム、塩化ナトリウム、か焼不足のプラスター、ミョウバン、カリウムミョウバン、石灰、か焼粘土、およびそれらの組合せからなる群から選択される、請求項４８に記載の配合物。
【請求項５０】
前記第３粒子状材料が接着剤を含む、請求項４９に記載の配合物。
【請求項５１】
前記接着剤が、オクチルアクリルアミド／アクリル酸塩／メタクリル酸ブチルアミノエチルのコポリマー、ポリビニルアルコール、ポリエチレンオキシド、硫酸ポリスチレンナトリウム、ポリアクリル酸、ポリビニルピロリドン、マルトデクストリン、加水分解ゼラチン、糖、加水分解でんぷん、ポリメタクリル酸のナトリウム塩、ポリメタクリル酸のアンモニウム塩、ポリビニルスルホン酸、スルホン化ポリエステル、ポリ（２−エチル−２−オキサゾリン）、ポリメタクリル酸、ポリアクリル酸のナトリウム塩、ポリアクリル酸のアンモニウム塩、およびそれらの組合せからなる群から選択される、請求項５０に記載の配合物。
【請求項５２】
前記第１粒子状材料が、硫酸塩含有化合物、塩化物含有化合物、およびそれらの組合せからなる群から選択される、請求項２８に記載の配合物。
【請求項５３】
硫酸塩含有化合物が、硫酸マグネシウム、硫酸亜鉛、およびそれらの組合せからなる群から選択される、請求項５２に記載の配合物。
【請求項５４】
塩化物含有化合物が、塩化マグネシウム、塩化亜鉛、塩化カルシウム、およびそれらの組合せからなる群から選択される、請求項５２に記載の配合物。
【請求項５５】
三次元印刷の方法であって、
第１粒子状材料、第２粒子状材料、および第３粒子状材料を含む乾燥粒子状材料層を提供し、
第１層領域上に流体を分配し、
前記第１および第２粒子状材料間の反応を惹起して、その反応で前記領域に固化材料を形成させ、そして
前記第３粒子状材料の固化を前記領域で引き起こすこと、
を含み、前記第１および第２粒子状材料間の反応は一定時間において起こり、前記第３粒子状材料は、三次元印刷中に前記層の領域に前記流体が接触するときにより長い時間において固化する、方法。
【請求項５６】
さらに、乾燥粒子状材料の第２層を提供し、
前記第２層領域上に流体を分配し、
前記第１および第２粒子状材料間の反応を惹起して、その反応で前記第２層領域および少なくとも第１層領域の一部に固化材料を形成させ、そして
前記第３粒子状材料を前記第２層の領域および少なくとも第１層領域の一部で固化させること、
を含む、請求項５５に記載の方法。
【請求項５７】
前記流体が水性である、請求項５５に記載の方法。
【請求項５８】
前記流体がアミノアルコールを含む、請求項５７に記載の方法。
【請求項５９】
アミノアルコールが、２−アミノ−２−メチル−１−プロパノール、１−アミノ−２−プロパノール、２−ジメチルアミノ−２−メチル−１−プロパノール、Ｎ，Ｎ−ジエチルエタノールアミン、Ｎ−メチルジエタノールアミン、Ｎ，Ｎ−ジメチルエタノールアミン、トリエタノールアミン、２−アミノエタノール、１−［ビス［３−（ジメチルアミノ）プロピル］アミノ］−２−プロパノール、３−アミノ−１−プロパノール、２−（２−アミノエチルアミノ）エタノール、トリス（ヒドロキシメチル）アミノメタン、２−アミノ−２−エチル−１，３−プロパンジオール、２−アミノ−２−メチル−１，３−プロパンジオール、ジエタノールアミン、１，３−ビス（ジメチルアミノ）−２−プロパノール、およびそれらの組合せからなる群から選択される、請求項５８に記載の方法。
【請求項６０】
前記第１粒子状材料および前記第２粒子状材料の少なくとも一方の材料が流体に実質的に可溶性である、請求項５５に記載の方法。
【請求項６１】
前記第１粒子状材料がリン酸塩を含む、請求項５５に記載の方法。
【請求項６２】
リン酸塩が、１アンモニウムリン酸塩、酸性リン酸アルミニウム・ナトリウム、無水１カルシウムリン酸塩、１カリウムリン酸塩、１ナトリウムリン酸塩、および過リン酸アルミニウムからなる群から選択される、請求項６１に記載の方法。
【請求項６３】
リン酸塩が、トリポリリン酸ナトリウム、ヘキサメタリン酸ナトリウム、リン酸ナトリウム塩、トリメタリン酸ナトリウム、およびポリリン酸アンモニウムからなる群から選択される、請求項６１に記載の方法。
【請求項６４】
リン酸塩が、リン酸２アンモニウム、リン酸２カリウム、リン酸２ナトリウム、１カルシウムリン酸塩二水和物、１カルシウムリン酸塩一水和物、リン酸２カルシウム二水和物、無水リン酸２カルシウム、リン酸３カルシウム、リン酸２ナトリウム、およびリン酸３カリウムからなる群から選択される、請求項６１に記載の方法。
【請求項６５】
リン酸塩が、酸性ピロリン酸ナトリウム、ピロリン酸４ナトリウム、およびピロリン酸４カリウムからなる群から選択される、請求項６１に記載の方法。
【請求項６６】
リン酸塩が、無水１カルシウムリン酸塩、酸性リン酸アルミニウムナトリウム、酸性リン酸アルミニウム、１アンモニウムリン酸塩、１カリウムリン酸塩、１ナトリウムリン酸塩およびそれらの組合せからなる群から選択される、請求項６１に記載の方法。
【請求項６７】
前記第２粒子状材料が、アルカリ酸化物、アルカリ水酸化物、およびそれらの組合せの少なくとも１つを含む、請求項５５に記載の方法。
【請求項６８】
アルカリ酸化物が、酸化亜鉛、酸化マグネシウム、酸化カルシウム、酸化銅、酸化ベリリウム、酸化ビスマス、酸化カドミウム、酸化スズ、鉛丹、およびそれらの組合せからなる群から選択される、請求項６７に記載の方法。
【請求項６９】
アルカリ水酸化物が、水酸化マグネシウム、三水酸化コバルト、二水酸化ベリリウムおよびそれらの組合せからなる群から選択される、請求項６７に記載の方法。
【請求項７０】
アルカリ酸化物が酸化マグネシウムを含む、請求項６７に記載の方法。
【請求項７１】
前記第１粒子状材料が、ポリアクリル酸、ポリメタクリル酸、クエン酸、コハク酸、マレイン酸、ポリアクリル酸およびメタクリル酸とマレイン酸のコポリマー、およびそれらのアルカリ塩からなる群から選択される、請求項６７に記載の方法。
【請求項７２】
前記第３粒子状材料が接着剤を含む、請求項５５に記載の方法。
【請求項７３】
前記接着剤が、オクチルアクリルアミド／アクリル酸塩／メタクリル酸ブチルアミノエチルのコポリマー、ポリビニルアルコール、ポリエチレンオキシド、硫酸ポリスチレンナトリウム、ポリアクリル酸、ポリビニルピロリドン、マルトデクストリン、加水分解ゼラチン、糖、加水分解でんぷん、ポリメタクリル酸のナトリウム塩、ポリメタクリル酸のアンモニウム塩、ポリビニルスルホン酸、スルホン化ポリエステル、ポリ（２−エチル−２−オキサゾリン）、ポリメタクリル酸、ポリアクリル酸のナトリウム塩、ポリアクリル酸のアンモニウム塩、およびそれらの組合せからなる群から選択される、請求項７２に記載の方法。
【請求項７４】
複数の粒子の混合物がさらに充填剤を含む、請求項５５に記載の方法。
【請求項７５】
前記充填剤が、石灰石、十字石、シリカ砂、ジルコン砂、かんらん石砂、クロム鉄鉱砂、マグネサイト、ケイ酸アルミナ、ケイ酸カルシウム、溶融石英、リン酸カルシウム、ルチル、ベントナイト、モンモリロナイト、ガラス、石粉、耐火粘土、およびそれらの混合物からなる群から選択される、請求項７４に記載の方法。
【請求項７６】
前記第１粒子状材料がプラスターを含む、請求項５５に記載の方法。
【請求項７７】
前記第２粒子状材料が促進剤を含む、請求項７６に記載の方法。
【請求項７８】
前記促進剤が、白土、硫酸カリウム、硫酸バリウム、硫酸アンモニウム、塩化ナトリウム、か焼不足のプラスター、ミョウバン、カリウムミョウバン、石灰、か焼粘土、およびそれらの組合せからなる群から選択される、請求項７７に記載の方法。
【請求項７９】
前記第３粒子状材料が接着剤を含む、請求項７８に記載の方法。
【請求項８０】
前記接着剤が、オクチルアクリルアミド／アクリル酸塩／メタクリル酸ブチルアミノエチルのコポリマー、ポリビニルアルコール、ポリエチレンオキシド、硫酸ポリスチレンナトリウム、ポリアクリル酸、ポリビニルピロリドン、マルトデクストリン、加水分解ゼラチン、糖、加水分解でんぷん、ポリメタクリル酸のナトリウム塩、ポリメタクリル酸のアンモニウム塩、ポリビニルスルホン酸、スルホン化ポリエステル、ポリ（２−エチル−２−オキサゾリン）、ポリメタクリル酸、ポリアクリル酸のナトリウム塩、ポリアクリル酸のアンモニウム塩、およびそれらの組合せからなる群から選択される、請求項７９に記載の方法。
【請求項８１】
前記第１粒子状材料が、硫酸塩含有化合物、塩化物含有化合物、およびそれらの組合せからなる群から選択される、請求項５５に記載の方法。
【請求項８２】
前記硫酸塩含有化合物が、硫酸マグネシウム、硫酸亜鉛、およびそれらの組合せからなる群から選択される、請求項８１に記載の方法。
【請求項８３】
前記塩化物含有化合物が、塩化マグネシウム、塩化亜鉛、塩化カルシウム、およびそれらの組合せからなる群から選択される、請求項８１に記載の方法。
【請求項８４】
三次元印刷において用いられる固形物の乾燥粒子状混合物であって、複数の層からなる物品を形成するために三次元印刷中に流体と接触する場合、流体接触により始まり第１速度で起こる第１固化反応を被り、かつ流体接触により始まり第１速度よりも遅い第２速度で起こる第２固化反応もまた被る、混合物。
【請求項８５】
前記接着剤が、水溶性ポリマー、炭水化物、糖、糖アルコール、タンパク質、無機化合物、およびそれらの組合せからなる群から選択される、請求項１５に記載の物品。
【請求項８６】
前記接着剤が、水溶性ポリマー、炭水化物、糖、糖アルコール、タンパク質、無機化合物、およびそれらの組合せからなる群から選択される、請求項２３に記載の物品。
【請求項８７】
前記接着剤が、水溶性ポリマー、炭水化物、糖、糖アルコール、タンパク質、無機化合物、およびそれらの組合せからなる群から選択される、請求項４２に記載の配合物。
【請求項８８】
前記接着剤が、水溶性ポリマー、炭水化物、糖、糖アルコール、タンパク質、無機化合物、およびそれらの組合せからなる群から選択される、請求項５０に記載の配合物。
【請求項８９】
前記接着剤が、水溶性ポリマー、炭水化物、糖、糖アルコール、タンパク質、無機化合物、およびそれらの組合せからなる群から選択される、請求項７２に記載の方法。
【請求項９０】
前記接着剤が、水溶性ポリマー、炭水化物、糖、糖アルコール、タンパク質、無機化合物、およびそれらの組合せからなる群から選択される、請求項７９に記載の方法。
【請求項９１】
前記タンパク質が、ゼラチン、ウサギ毛皮のグルー、大豆タンパク、およびそれらの組合せからなる群より選択される、請求項８５に記載の物品。
【請求項９２】
前記タンパク質が、ゼラチン、ウサギ毛皮のグルー、大豆タンパク、およびそれらの組合せからなる群より選択される、請求項８６に記載の物品。
【請求項９３】
前記タンパク質が、ゼラチン、ウサギ毛皮のグルー、大豆タンパク、およびそれらの組合せからなる群より選択される、請求項８７に記載の配合物。
【請求項９４】
前記タンパク質が、ゼラチン、ウサギ毛皮のグルー、大豆タンパク、およびそれらの組合せからなる群より選択される、請求項８８に記載の配合物。
【請求項９５】
前記タンパク質が、ゼラチン、ウサギ毛皮のグルー、大豆タンパク、およびそれらの組合せからなる群より選択される、請求項８９に記載の方法。
【請求項９６】
前記タンパク質が、ゼラチン、ウサギ毛皮のグルー、大豆タンパク、およびそれらの組合せからなる群より選択される、請求項９０に記載の方法。